(57)【要約】【課題】通信端末のセキュリティ機能を維持するとともに、その電子メールの内容を車載機において自動的に音声出力することができる技術を提供する。【解決手段】データ通信システムにおいて、通信端末は、自端末宛の電子メールを受信した場合に、サーバ装置に当該電子メールの内容を示す音声データを要求する要求信号を送信し、サーバ装置から受信した音声データを車載機に送信し、また、サーバ装置は、通信端末から受信した要求信号に応答して、当該通信端末宛の電子メールの内容を音声データに変換し、音声データを通信端末に返送し、また、車載機は、通信端末から受信した音声データを車両の車室内に出力するので、通信端末のセキュリティを維持するとともに、その電子メールの内容を車載機において自動的に音声出力することができる。【選択図】図６
2011135419.tif 000002
【特許請求の範囲】
【請求項１】
車両に搭載される車載機と、前記車載機と通信可能な可搬性の通信端末と、前記通信端末と通信可能なサーバ装置とを備えるデータ通信システムであって、
前記通信端末は、
自端末宛の電子メールを受信した場合に、前記サーバ装置に当該電子メールの内容を示す音声データを要求する要求信号を送信する要求手段と、
前記サーバ装置から受信した前記音声データを前記車載機に送信する送信手段と、
を備え、
前記サーバ装置は、
前記通信端末から受信した前記要求信号に応答して、当該通信端末宛の電子メールの内容を前記音声データに変換する変換手段と、
前記音声データを前記通信端末に返送する返送手段と、
を備え、
前記車載機は、
前記通信端末から受信した前記音声データを前記車両の車室内に出力する音声出力手段、
を備えることを特徴とするデータ通信システム。
【請求項２】
請求項１に記載のデータ通信システムにおいて、
前記サーバ装置は、前記通信端末に前記電子メールを送信する通信キャリアのキャリアサーバから、前記電子メールを取得することを特徴とするデータ通信システム。
【請求項３】
請求項２に記載のデータ通信システムにおいて、
前記サーバ装置は、前記キャリアサーバから、前記電子メールをウェブメール形式で取得することを特徴とするデータ通信システム。
【請求項４】
請求項１ないし請求項３の何れかに記載のデータ通信システムにおいて、
前記音声出力手段は、車両に備わる車両を操作する操作手段が出力する操作量が、所定量よりも小さい場合に、前記音声データを車室内に出力することを特徴とするデータ通信システム。
【請求項５】
請求項１ないし請求項４の何れかに記載のデータ通信システムにおいて、
前記車載機は、更に、オーディオ機能と、オーディオの音量を制御する第１音量制御手段と、を備え、
前記第１音量制御手段は、前記音声出力手段が前記音声データを車室内に出力する場合は、オーディオの音量を前記音声データを出力する際の音量よりも小さくすることを特徴とするデータ通信システム。
【請求項６】
請求項１ないし請求項５の何れかに記載のデータ通信システムにおいて、
前記車載機は、更に、ナビゲーション機能と、ナビゲーション機能を発揮する際の案内の音量を制御する第２音量制御手段と、を備え、
前記第２音量制御手段は、前記音声出力手段が前記音声データを車室内に出力する場合は、前記案内の音量を前記音声データを出力する際の音量よりも小さくすることを特徴とするデータ通信システム。
【請求項７】
請求項１ないし請求項６の何れかに記載のデータ通信システムにおいて、
前記変換手段は、前記電子メールに含まれる、文字データ及び前記電子メールの送信元の性別若しくは感情を示す識別データに基づいて、音声の調子又は音声の高低の何れかを設定して、音声データに変換することを特徴とするデータ通信システム。
【請求項８】
車両に搭載される車載機であって、
自端末宛の電子メールを受信した場合に所定のサーバ装置から該電子メールの内容を示す音声データを取得する通信端末から、前記音声データを受信する受信手段と、
前記通信端末から受信した前記音声データを前記車両の車室内に出力する音声出力手段と、
を備えることを特徴とする車載機。
【請求項９】
車両に搭載される車載機と通信可能な可搬性の通信端末であって、
自端末宛の電子メールを受信した場合に、当該電子メールの内容を音声データに変換するサーバ装置に、前記音声データを要求する要求信号を送信する要求手段と、
前記要求信号に応答して前記サーバ装置で変換された前記音声データを受信する受信手段と、
前記サーバ装置から受信した前記音声データを前記車載機に送信して、前記車両の車室内に出力させる送信手段と、
を備えることを特徴とする通信端末。
【請求項１０】
可搬性の通信端末と通信可能なサーバ装置であって、
前記可搬性の通信端末から、該通信端末宛の電子メールの内容を示す音声データを要求する要求信号を受信する受信手段と、
前記通信端末から受信した前記要求信号に応答して、当該通信端末宛の電子メールの内容を前記音声データに変換する変換手段と、
前記音声データを前記通信端末に返送する返送手段と、
を備えることを特徴とするサーバ装置。
【請求項１１】
車両に搭載される車載機と、前記車載機と通信可能な可搬性の通信端末と、前記通信端末と通信可能なサーバ装置とにおけるデータ通信方法であって、
前記通信端末が、自端末宛の電子メールを受信した場合に、前記サーバ装置に当該電子メールの内容を示す音声データを要求する要求信号を送信する工程と、
前記サーバ装置が、前記通信端末から受信した前記要求信号に応答して、当該通信端末宛の電子メールの内容を前記音声データに変換する工程と、
前記サーバ装置が、前記音声データを前記通信端末に返送する工程と、
前記通信端末が、前記サーバ装置から受信した前記音声データを前記車載機に送信する工程と、
前記車載機が、前記通信端末から受信した前記音声データを前記車両の車室内に出力する工程と、
を備えることを特徴とするデータ通信方法。
【請求項１２】
車両に搭載される車載機に含まれるコンピュータによって実行可能なプログラムであって、
前記プログラムの前記コンピュータによる実行は、前記コンピュータに、
自端末宛の電子メールを受信した場合に所定のサーバ装置から該電子メールの内容を示す音声データを取得する通信端末から、前記音声データを受信する工程と、
前記通信端末から受信した前記音声データを前記車両の車室内に出力する工程と、
を実行させることを特徴とするプログラム。
【請求項１３】
車両に搭載される車載機と通信可能な可搬性の通信端末に含まれるコンピュータによって実行可能なプログラムであって、
前記プログラムの前記コンピュータによる実行は、前記コンピュータに、
自端末宛の電子メールを受信した場合に、当該電子メールの内容を音声データに変換するサーバ装置に、前記音声データを要求する要求信号を送信する工程と、
前記要求信号に応答して前記サーバ装置で変換された前記音声データを受信する工程と、
前記サーバ装置から受信した前記音声データを前記車載機に送信して、前記車両の車室内に出力させる工程と、
を実行させることを特徴とするプログラム。
【請求項１４】
可搬性の通信端末と通信可能なサーバ装置に含まれるコンピュータによって実行可能なプログラムであって、
前記プログラムの前記コンピュータによる実行は、前記コンピュータに、
前記可搬性の通信端末から、該通信端末宛の電子メールの内容を示す音声データを要求する要求信号を受信する工程と、
前記通信端末から受信した前記要求信号に応答して、当該通信端末宛の電子メールの内容を前記音声データに変換する工程と、
前記音声データを前記通信端末に返送する工程と、
を実行させることを特徴とするプログラム。
【発明の詳細な説明】
【技術分野】
【０００１】
本発明は、通信端末が受信した電子メールの内容を構成する音声データを出力する技術に関する。
【背景技術】
【０００２】
近年、携帯電話、ＰＤＡ（Ｐｅｒｓｏｎａｌ  Ｄｉｇｉｔａｌ  Ａｓｓｉｓｔａｎｔ）、並びに、ノートパソコンといった可搬性のある通信端末、又は、パーソナルコンピュータなどの端末において、相互にデータ通信が可能になっている。データ通信には、例えば、電子メール通信があり、電子メールは、インターネットや電気通信事業者（通信キャリア）が構築する通信ネットワークを介して、それら端末において送受信される。
【０００３】
端末において受信される電子メールをユーザが閲覧するには、ユーザがメール専用アプリを起動することによってその電子メールを受信し、開封する操作により端末の表示部へ表示させるといった一連の操作が必要である。従って、ユーザが他の作業をしている間は、端末を操作することができないため、電子メールの内容を知ることができない。
【０００４】
このような場合に、受信した電子メールの内容を音声出力することによって、他の作業をしているユーザへその電子メールの内容を知らせることができる技術が、特許文献１に記載されている。この特許文献１には、通信端末が受信した電子メールを車両に搭載の制御装置（車載機）へ転送し、その車載機が、転送された電子メールの内容を音声データへ変換して音声出力することによって、運転をしているユーザへ端末が受信した電子メールの内容を知らせることができる技術が開示されている。
【先行技術文献】
【特許文献】
【０００５】
【特許文献１】特表２００９−５０３９２０号公報
【発明の概要】
【発明が解決しようとする課題】
【０００６】
しかし、実際には、前述した技術のように、通信端末において受信した電子メールやそれを複製したテキストデータを車載機へ転送し、車載機において転送された電子メールを音声データへ変換するのは困難な場合が多い。
【０００７】
つまり、通信端末においては、受信した電子メールやそれを複製したテキストデータを自動的に他の装置へ転送する機能を、情報漏えいの防止というセキュリティの観点から、搭載していない場合が多く、実際には、前述した技術を実施できない。
【０００８】
本発明は、上記課題に鑑みてなされたものであり、通信端末のセキュリティ機能を維持するとともに、その電子メールの内容を車載機において自動的に音声出力することができる技術を提供することを目的とする。
【課題を解決するための手段】
【０００９】
上記課題を解決するため、請求項１の発明は、車両に搭載される車載機と、前記車載機と通信可能な可搬性の通信端末と、前記通信端末と通信可能なサーバ装置とを備えるデータ通信システムであって、前記通信端末は、自端末宛の電子メールを受信した場合に、前記サーバ装置に当該電子メールの内容を示す音声データを要求する要求信号を送信する要求手段と、前記サーバ装置から受信した前記音声データを前記車載機に送信する送信手段と、を備え、前記サーバ装置は、前記通信端末から受信した前記要求信号に応答して、当該通信端末宛の電子メールの内容を前記音声データに変換する変換手段と、前記音声データを前記通信端末に返送する返送手段と、を備え、前記車載機は、前記通信端末から受信した前記音声データを前記車両の車室内に出力する音声出力手段、を備えることを特徴とする。
【００１０】
また、請求項２の発明は、請求項１に記載のデータ通信システムにおいて、前記サーバ装置は、前記通信端末に前記電子メールを送信する通信キャリアのキャリアサーバから、前記電子メールを取得することを特徴とする。
【００１１】
また、請求項３の発明は、請求項２に記載のデータ通信システムにおいて、前記サーバ装置は、前記キャリアサーバから、前記電子メールをウェブメール形式で取得することを特徴とする。
【００１２】
また、請求項４の発明は、請求項１ないし請求項３の何れかに記載のデータ通信システムにおいて、前記音声データ出力手段は、車両に備わる車両を操作する操作手段が出力する操作量が、所定量よりも小さい場合に、前記音声データを出力することを特徴とする。
【００１３】
また、請求項５の発明は、請求項１ないし請求項４の何れかに記載のデータ通信システムにおいて、前記車載機は、更に、オーディオ機能と、オーディオの音量を制御する第１音量制御手段と、を備え、前記第１音量制御手段は、前記音声データ出力手段が前記音声データを出力する場合は、オーディオの音量を前記音声データを出力する際の音量よりも小さくすることを特徴とする。
【００１４】
また、請求項６の発明は、請求項１ないし請求項５の何れかに記載のデータ通信システムにおいて、前記車載機は、更に、ナビゲーション機能と、ナビゲーション機能を発揮する際の案内の音量を制御する第２音量制御手段と、を備え、前記第２音量制御手段は、前記音声データ出力手段が前記音声データを出力する場合は、前記案内の音量を前記音声データを出力する際の音量よりも小さくすることを特徴とする。
【００１５】
また、請求項７の発明は、請求項１ないし請求項６の何れかに記載のデータ通信システムにおいて、前記変換手段は、前記電子メールに含まれる、文字データ及び前記電子メールの送信元の性別若しくは感情を示す識別データに基づいて、音声の調子又は音声の高低の何れかを設定して、音声データに変換することを特徴とする。
【００１６】
また、請求項８の発明は、車両に搭載される車載機であって、自端末宛の電子メールを受信した場合に所定のサーバ装置から該電子メールの内容を示す音声データを取得する通信端末から、前記音声データを受信する受信手段と、前記通信端末から受信した前記音声データを前記車両の車室内に出力する音声出力手段と、を備えることを特徴とする。
【００１７】
また、請求項９の発明は、車両に搭載される車載機と通信可能な可搬性の通信端末であって、自端末宛の電子メールを受信した場合に、当該電子メールの内容を音声データに変換するサーバ装置に、前記音声データを要求する要求信号を送信する要求手段と、前記要求信号に応答して前記サーバ装置で変換された前記音声データを受信する受信手段と、前記サーバ装置から受信した前記音声データを前記車載機に送信して、前記車両の車室内に出力させる送信手段と、を備えることを特徴とする。
【００１８】
また、請求項１０の発明は、可搬性の通信端末と通信可能なサーバ装置であって、前記可搬性の通信端末から、該通信端末宛の電子メールの内容を示す音声データを要求する要求信号を受信する受信手段と、前記通信端末から受信した前記要求信号に応答して、当該通信端末宛の電子メールの内容を前記音声データに変換する変換手段と、前記音声データを前記通信端末に返送する返送手段と、を備えることを特徴とする。
【００１９】
また、請求項１１の発明は、車両に搭載される車載機と、前記車載機と通信可能な可搬性の通信端末と、前記通信端末と通信可能なサーバ装置とにおけるデータ通信方法であって、前記通信端末が、自端末宛の電子メールを受信した場合に、前記サーバ装置に当該電子メールの内容を示す音声データを要求する要求信号を送信する工程と、前記サーバ装置が、前記通信端末から受信した前記要求信号に応答して、当該通信端末宛の電子メールの内容を前記音声データに変換する工程と、前記サーバ装置が、前記音声データを前記通信端末に返送する工程と、前記通信端末が、前記サーバ装置から受信した前記音声データを前記車載機に送信する工程と、前記車載機が、前記通信端末から受信した前記音声データを前記車両の車室内に出力する工程と、を備えることを特徴とする。
【００２０】
また、請求項１２の発明は、車両に搭載される車載機に含まれるコンピュータによって実行可能なプログラムであって、前記プログラムの前記コンピュータによる実行は、前記コンピュータに、自端末宛の電子メールを受信した場合に所定のサーバ装置から該電子メールの内容を示す音声データを取得する通信端末から、前記音声データを受信する工程と、前記通信端末から受信した前記音声データを前記車両の車室内に出力する工程と、を実行させることを特徴とする。
【００２１】
また、請求項１３の発明は、車両に搭載される車載機と通信可能な可搬性の通信端末に含まれるコンピュータによって実行可能なプログラムであって、前記プログラムの前記コンピュータによる実行は、前記コンピュータに、自端末宛の電子メールを受信した場合に、当該電子メールの内容を音声データに変換するサーバ装置に、前記音声データを要求する要求信号を送信する工程と、前記要求信号に応答して前記サーバ装置で変換された前記音声データを受信する工程と、前記サーバ装置から受信した前記音声データを前記車載機に送信して、前記車両の車室内に出力させる工程と、を実行させることを特徴とする。
【００２２】
また、請求項１４の発明は、可搬性の通信端末と通信可能なサーバ装置に含まれるコンピュータによって実行可能なプログラムであって、前記プログラムの前記コンピュータによる実行は、前記コンピュータに、前記可搬性の通信端末から、該通信端末宛の電子メールの内容を示す音声データを要求する要求信号を受信する工程と、前記通信端末から受信した前記要求信号に応答して、当該通信端末宛の電子メールの内容を前記音声データに変換する工程と、前記音声データを前記通信端末に返送する工程と、を実行させることを特徴とする。
【発明の効果】
【００２３】
請求項１ないし８の発明によれば、データ通信システムにおいて、通信端末は、自端末宛の電子メールを受信した場合に、サーバ装置に当該電子メールの内容を示す音声データを要求する要求信号を送信し、サーバ装置から受信した音声データを車載機に送信し、また、サーバ装置は、通信端末から受信した要求信号に応答して、当該通信端末宛の電子メールの内容を音声データに変換し、音声データを通信端末に返送し、また、車載機は、通信端末から受信した音声データを車両の車室内に出力するので、通信端末のセキュリティを維持するとともに、その電子メールの内容を車載機において自動的に音声出力することができる。
【００２４】
また、請求項２の発明によれば、サーバ装置は、通信端末に電子メールを送信する通信キャリアのキャリアサーバから、電子メールを取得するので、通信端末において、受信した電子メールを車載機へ転送する必要がなく、セキュリティを高めることができる。
【００２５】
また、請求項３の発明によれば、サーバ装置は、キャリアサーバから、電子メールをウェブメール形式で取得するので、通信端末において、受信した電子メールを車載機へ転送する必要がなく、セキュリティを維持することができる。
【００２６】
また、請求項４の発明によれば、音声出力手段は、車両に備わる車両を操作する操作手段が出力する操作量が、所定量よりも小さい場合に、音声データを車室内に出力するので、ユーザが運転に忙しいときに音声データを車室内に出力しないようにできる。
【００２７】
また、請求項５の発明によれば、第１音量制御手段は、音声データ出力手段が音声データを車室内へ出力する場合は、オーディオの音量を出力する際の音量よりも小さくするので、ユーザは音声データをの音声を確実に聞き取ることができる。
【００２８】
また、請求項６の発明によれば、第１音量制御手段は、音声データ出力手段が音声データを車室内へ出力する場合は、ナビゲーション機能を発揮する際の案内の音量を出力する際の音量よりも小さくするので、ユーザは音声データをの音声を確実に聞き取ることができる。
【００２９】
また、請求項７の発明によれば、変換手段は、電子メールに含まれる、文字データ及び電子メールの送信元の性別若しくは感情を示す識別データに基づいて、音声の調子又は音声の高低の何れかを設定して、音声データに変換するので、ユーザは電子メールの送信元の気持ちを性別を理解することができる。
【図面の簡単な説明】
【００３０】
【図１】図１は、通信端末と車載機とサーバとから構成される通信システムを示す図である。
【図２】図２は、通信端末のシステムブロック図である。
【図３】図３は、キャリアサーバのシステムブロック図である。
【図４】図４は、音声データサーバのシステムブロック図である。
【図５】図５は、車載機のシステムブロック図である。
【図６】図６は、通信システムのフローチャート図である。
【図７】図７は、通信システムのフローチャート図である。
【図８】図８は、通信システムのフローチャート図である。
【発明を実施するための形態】
【００３１】
以下、添付図面を参照しながら本発明の実施の形態について説明する。
【００３２】
＜代表の実施の形態＞
（データ通信システム）
データの通信を行う、可搬性のある通信端末、サーバ、及び、車載機から構成される通信システムを図１に基づいて説明する。
【００３３】
本実施の形態の通信システム５は、通信端末１Ａ並びに通信端末１Ｂ、キャリアサーバ２Ａ並びに音声データサーバ２Ｂ、及び、車載機３から構成される。
【００３４】
通信端末１Ａは、例えば、公知の携帯電話であって、周知の機能である、通話機能、電子メール通信機能、インターネット閲覧機能、及び、音楽再生機能などを発揮する。更に、音声データサーバ２Ｂから音声データを受信する音声データ通信機能、及び、車載機３と近距離無線通信を行う近距離無線通信機能を発揮する。
【００３５】
近距離無線通信とは、例えば、Ｂｌｕｅｔｏｏｔｈ（登録商標）規格に基づく通信であり、この規格に従って無線通信により、通信端末１Ａと車載機３との間で種々のデータを送受信する。また、この通信はＢｌｕｅｔｏｏｔｈ規格とは異なる規格の通信を利用しても良い。
【００３６】
通信端末１Ｂは、通信端末１Ａと同様の機能を発揮する。
【００３７】
キャリアサーバ２Ａは、受信した電子メールを電子メールが示す宛先へ送信するメール通信機能、受信した電子メールデータを通信端末のフォーマットのデータに変換するフォーマット変換機能、受信した電子メールをウェブメールへ複製して変換するウェブメール変換機能、及び、情報漏えいを防止するセキュリティ機能などを発揮する。
【００３８】
音声データサーバ２Ｂは、キャリアサーバ２Ａが受信した電子メールを変換したウェブメールを取得するウェブメール取得機能、取得したウェブメールを音声データへ変換する音声データ変換機能、情報漏えいを防止するセキュリティ機能、及び、通信端末１Ｂへ音声データを送信する音声データ通信機能を発揮する。
【００３９】
車載機３は、通信端末１Ｂと近距離無線通信を行う近距離無線通信機能、ＣＤを再生する第１オーディオ機能、ラジオやテレビなどの放送データを受信する放送データ受信機能、及び、表示機能を発揮する。
【００４０】
また、ナビゲーション機能、ＤＶＤやブルーレイディスクを再生する第２オーディオ機能などの高級機能を搭載しても良い。
【００４１】
（通信端末システム）
通信端末１Ａのシステムを図２に基づいて説明する。
【００４２】
通信端末１Ａは、制御部１０Ａ、表示部１１Ａ、操作部１２Ａ、通信部１３Ａ、送話部１４Ａ、受話部１５Ａ、及び、近距離無線通信部１６Ａを備える。
【００４３】
制御部１０Ａは、例えば、ＣＰＵ、ＲＡＭ、ＲＯＭなどから構成されるマイクロコンピュータであり、ＲＯＭに予め記憶されているプログラム１００Ａに従ってＣＰＵが演算処理を行うことで前述した種々の機能を発揮させる。表示部１１Ａは、例えば、液晶表示装置であり、制御部１０Ａが制御する情報を表示する。操作部１２Ａは、例えば、プッシュボタンであり、ユーザから受け付けた操作内容を制御部１０Ａへ送信する。通信部１３Ａは、キャリアサーバ２Ａを中継して他の端末と行う電子メール通信や、他の通信端末などと行う通話通信や、音声データサーバ２Ｂと行う音声データ通信を行う。送話部１４Ａは、通信部１３Ａが通話通信を行う際の通話相手の音声を出力する。受話部１５Ａは、通信部１３Ａが通話通信を行う際の通話相手へ伝達する音声を入力する。近距離無線通信部１６Ａは、車載機３と前述した近距離無線通信を行う。
【００４４】
なお、通信端末１Ｂのシステムは、通信端末１Ａのシステムと同じであるため説明を省略する。また、図２の通信端末１Ｂのシステムの各部へ付す符号は、通信端末１Ａのシステムの各部へ付した符号のあとに付加しているアルファベットＡの代わりにアルファベットＢを付加することとする。
【００４５】
（キャリアサーバシステム）
キャリアサーバ２Ａのシステムを図３に基づいて説明する。
【００４６】
キャリアサーバ２Ａは、制御部２０Ａ、表示部２１Ａ、操作部２２Ａ、通信部２３Ａ、及び、大容量記憶部２４Ａを備える。
【００４７】
制御部２０Ａは、例えば、ＣＰＵ、ＲＡＭ、ＲＯＭなどから構成されるマイクロコンピュータであり、ＲＯＭに予め記憶されているプログラム２００Ａに従ってＣＰＵが演算処理を行うことで種々の機能を発揮させる。表示部２１Ａは、例えば、液晶表示装置であり、制御部２０Ａが制御する情報を表示する。操作部２２Ａは、例えば、キーボードであり、ユーザから受け付けた操作内容を制御部２０Ａへ送信する。通信部２３Ａは、一の端末から受信した電子メールが示す宛先の端末へその電子メールを送信する電子メールを含むデータ通信を行う。大容量記憶部２４Ａは、種々の機能を発揮する際に必要なデータを蓄積する。例えば、キャリアに所属するユーザ端末の電子メールアドレスを大容量記憶部２４Ａに蓄積する。
【００４８】
（音声データサーバシステム）
音声データサーバ２Ｂのシステムを図４に基づいて説明する。
【００４９】
音声データサーバ２Ｂ、制御部２０Ｂ、表示部２１Ｂ、操作部２２Ｂ、通信部２３Ｂ、及び、大容量記憶部２４Ｂを備える。
【００５０】
制御部２０Ｂは、例えば、ＣＰＵ、ＲＡＭ、ＲＯＭなどから構成されるマイクロコンピュータであり、ＲＯＭに予め記憶されているプログラム２００Ｂに従ってＣＰＵが演算処理を行うことで前述した種々の機能を発揮させる。表示部２１Ｂは、例えば、液晶表示装置であり、制御部２０Ｂが制御する情報を表示する。操作部２２Ｂは、例えば、キーボードであり、ユーザから受け付けた操作内容を制御部２０Ｂへ送信する。通信部２３Ｂは、通信端末１Ｂから、通信端末１Ｂが受信した電子メールの内容を示す音声データを要求する要求信号を受信するとともに、制御部２０Ｂが、要求信号に応答してキャリアサーバ２Ａから取得したウェブメールの内容に基づいて変換した、音声データを通信端末１Ｂへ送信するデータ通信を行う。大容量記憶部２４Ｂは、種々の機能を発揮する際に必要なデータを蓄積する。例えば、ウェブメールなどのテキストデータに含まれる文字に応じた音声データを大容量記憶部２４Ｂに蓄積する。
【００５１】
（車載機システム）
車載機３のシステムを図５に基づいて説明する。
【００５２】
車載機３はエンジン搭載、又は、走行モータ搭載の車両４に搭載される。
【００５３】
車載機３は、制御部３０、操作・表示部３１、操作部３２、近距離無線通信部３３、大容量記憶部３４、および、音出力部３５を備える
制御部３０は、例えば、ＣＰＵ、ＲＡＭ、ＲＯＭなどから構成されるマイクロコンピュータであり、ＲＯＭに予め記憶されているプログラム３００に従ってＣＰＵが演算処理を行うことで前述した種々の機能を発揮させる。操作・表示部３１は、例えば、タッチパネルディスプレイからなり、制御部３０が制御する情報を表示するとともに、ユーザから受け付けた操作内容を制御部３０へ送信する。操作部３２は、例えば、プッシュボタンであり、ユーザから受け付けた操作内容を制御部３０へ送信する。近距離無線通信部３３は、通信端末１Ｂと前述した近距離無線通信を行う。大容量記憶部２４は、例えば、音楽、画像、動画、地図などのデータを蓄積する。音出力部３５は、例えば、制御部３０が、ＣＤを再生する第１オーディオ機能、ラジオやテレビなどの放送データを受信する放送データ受信機能を発揮することに伴う音を出力する。更に、近距離無線通信部により受信した音声データを出力する。
【００５４】
（通信システムの制御）
本実施の形態の通信システム５の制御を図６に基づいて説明する。
【００５５】
まず初めに、通信端末１Ｂ、音声データサーバ２Ｂ、及び、車載機３が通信を確立することによって、本制御がスタートする。
【００５６】
ペアリング制御を具体的に説明すると、車載機３の制御部３０は、操作・表示部３１において「電子メール読み上げサービス」を含むサービスのメニューを表示する。ユーザーが操作・表示部３１において「電子メール読み上げサービス」を選択した場合は、通信端末１Ｂ、キャリアサーバ２Ｂ、及び、車載機３において通信を確立する。
【００５７】
具体的には、車載機３の制御部３０は本サービスを提供する音声データサーバ２Ｂへ接続する際に必要となるＵＲＬを示した２次元コード（ＱＲコード）を、操作・表示部３１へ表示させる。この２次元コードをユーザーが通信端末１Ｂが備える入力手段（カメラ）により読みとる。通信端末１Ｂの制御部１０Ｂは、この２次元コードが示すＵＲＬに基づいて通信部１３Ｂを制御して本サービスを提供する音声データサーバ２Ｂへ通信接続を行う。接続の際、音声データサーバ２Ｂの制御部２０Ｂはユーザーの通信端末１Ｂが本サービスの提供を受けることが出来るものであるか否かを判定する認証制御処理を実施する。制御部２０Ｂが認証制御処理においてユーザーの通信端末１Ｂが本サービスの提供を受けること出来ると判定した場合は、通信端末１Ｂへその旨通知し、通信端末１Ｂの制御部１０Ｂは近距離無線通信部１６Ｂを制御して車載機３の近距離無線通信部３４と無線通信を確立させる。近距離無線通信の確立により、車載機３の制御部３０、通信端末１Ｂの制御部１０Ｂ、および、サーバ２Ｂの制御部２０Ｂは本サービスの通信ラインが確立したと認識し本制御をスタートする。
【００５８】
ステップＳ１において、キャリアサーバ２Ａは、通信端末１Ａから電子メールを受信する。キャリアサーバ２Ａは、受信した電子メールを、通信端末１Ｂの規程に従ったフォーマットのデータに変換する。
【００５９】
ステップＳ２において、キャリアサーバ２Ａは、変換したデータを受信した電子メールが示す宛先である通信端末１Ｂへ送信する。
【００６０】
ステップＳ３において、キャリアサーバ２Ａは、受信した電子メールをウェブメールへ変換する。
【００６１】
ここでウェブメールとは、インターネットに接続された端末がウェブブラウザを利用して、受信、送信、及び、閲覧できるようにしたものである。従って、ウェブブラウザが端末に搭載され、かつ、電子メールがウェブメール化されていれば、電子メールを扱うアプリケーションを搭載しなくても、電子メールを利用することができる。
【００６２】
ステップＳ４において、通信端末１Ａは、キャリアサーバ２Ａから電子メールを受信した後に、「電子メール読み上げサービス」機能がユーザによってオンにされているか否かを判定する。オンにされていると判定する場合は、ステップＳ５へ移行し、オンにされていないと判定する場合は、リターンへ移行する。つまり、この機能は、ユーザが「電子メール読み上げサービス」機能を有効にするか無効にするかを設定できるようにして、ユーザが他人に聞かれたくない場合に、電子メールが読み上げられないようにしている。
【００６３】
ステップＳ５において、通信端末１Ｂは、音声データサーバ２Ｂへ音声データを要求する要求信号を送信する。
【００６４】
ステップＳ６において、音声データサーバ２Ｂは、通信端末１Ｂから受信した音声データ要求信号を受信すると、キャリアサーバ２Ａへウェブメールを要求する要求信号を送信する。
【００６５】
ステップＳ７において、キャリアサーバ２Ａは、音声データサーバ２Ｂから受信したウェブメール要求信号を受信すると、音声データサーバ２Ｂへウェブメールを送信する。このあと、キャリアサーバ２Ａにおける制御はリターンへ移行する。
【００６６】
ステップＳ８において、音声データサーバ２Ｂは、キャリアサーバ２Ａから受信したウェブメールの内容を音声データへ変換する処理（音声データ変換処理）を実行する。
【００６７】
音声データ変換処理は、音声データサーバ２Ｂが、音声データが蓄積されている大容量記憶部２４Ｂから、ウェブメールに含まれる文字データに適した音声データを検索・抽出することによって実現される。
【００６８】
ステップＳ９において、音声データサーバ２Ｂは、変換した音声データを通信端末１Ａへ送信する。このあと、音声データサーバ２Ｂにおける制御はリターンへ移行する。
【００６９】
ステップＳ１０において、通信端末１Ｂは、受信した音声データを、近距離無線通信機能により、車載機３へ送信する。つまり、通信端末１Ｂは、データを加工するなどの処理は行わず、音声データサーバ２Ｂから受信する音声データを中継して、車載機３へ送信する中継機の役割をするので、通信端末１Ｂが備える通話機能などの主な機能の処理に影響を与えることは無い。このあと、通信端末１Ｂにおける制御はリターンへ移行する。
【００７０】
ステップＳ１１において、車載機３は、近距離無線通信により、受信した音声データを音出力部３５から出力させる（音声データ出力処理）。このあと、車載機３における制御はリターンへ移行する。
【００７１】
通信端末において、電子メールを他の装置へ転送する、又は、電子メールを複製したテキストデータを他の装置へ転送することは、情報漏えい防止などのセキュリティの観点からできない。従って、セキュリティ機能が充実したキャリアサーバ２Ａにおいて、電子メールをウェブメールへ変換し、セキュリティ機能が充実した音声データサーバ２Ｂにおいて、ウェブメールを取得して音声データへ変換し、音声データを通信端末１Ｂを中継して車載機３へ送信するとともに、車載機３において電子メールの内容である音声データを出力させているために、通信端末におけるセキュリティを維持できるとともに、その電子メールの内容を車載機において自動的に音声出力することができる。
【００７２】
以上、本発明の実施の形態について説明してきたが、この発明は上記実施の形態に限定されるものではなく様々な変形が可能である。以下では他の実施の形態について説明する。もちろん、以下で説明する形態を適宜組み合わせても良い。
【００７３】
＜変形例１＞
（音声データ変換処理）
上記代表の実施の形態において、音声データ変換処理は、音声データサーバ２Ｂが、音声データベースが蓄積されている大容量記憶部２４Ｂから、ウェブメールに含まれる文字に適した音声データを検索・抽出することによって実現されると説明したが、更に、音声データサーバ２Ｂが、ウェブメールに含まれる文字データと性別を示す識別データとに基づいて、音声の調子、又は、音声の高低の何れかを設定するようにしても良い。
【００７４】
例えば、図６に示す音声データ変換処理において、図７に示す処理を開始する。
【００７５】
ステップＳ２０において、音声データサーバ２Ｂは、ウェブメールに含まれる識別データが女性であるか否かを判定する。識別データが女性を示す場合は、ステップＳ２１へ移行し、識別データが女性を示さない場合は、ステップＳ２２へ移行する。
【００７６】
ステップＳ２１において、音声データサーバ２Ｂは、音声データベースが蓄積されている大容量記憶部２４Ｂから、ウェブメールに含まれる文字データに適した音声データを検索・抽出する。また、その抽出した音声データを、女性が発する声の様に、音声の調子をゆっくりにするとともに、音声の高低を高く生成する。次に、リターンへ移行する。
【００７７】
ステップＳ２２において、音声データサーバ２Ｂは、音声データベースが蓄積されている大容量記憶部２４Ｂから、ウェブメールに含まれる文字データに適した音声データを検索・抽出する。また、その抽出した音声データを、男性が発する声の様に、音声の調子を女性の場合よりも早くするとともに、音声の高低を女性の場合よりも低く生成する。次に、リターンへ移行する。
【００７８】
＜変形例２＞
（音声データ変換処理）
上記代表の実施の形態において、音声データ変換処理は、音声データサーバ２Ｂが、音声データベースが蓄積されている大容量記憶部２４Ｂから、ウェブメールに含まれる文字に適した音声データを検索・抽出することによって実現されると説明したが、更に、音声データサーバ２Ｂが、ウェブメールに含まれる文字データと感情を示す識別データとに基づいて、音声の調子、又は、音声の高低の何れかを設定するようにしても良い。
【００７９】
例えば、図６に示す音声データ変換処理において、図８に示す処理を開始する。
【００８０】
ステップＳ３０において、音声データサーバ２Ｂは、ウェブメールに含まれる識別データが感情を示すか否かを判定する。識別データが感情を示す場合は、ステップＳ３１へ移行し、識別データが感情を示さない場合は、ステップＳ３２へ移行する。感情を示す識別データとは、例えば、電子メールにおいて感情を示す絵文字やアイコンを言う。
【００８１】
ステップＳ３１において、音声データサーバ２Ｂは、音声データベースが蓄積されている大容量記憶部２４Ｂから、ウェブメールに含まれる文字データに適した音声データを検索・抽出する。また、その抽出した音声データを、感情を示す識別データに応じた音声の質に変換する。例えば、喜んでいる絵文字やアイコンの場合は、音声の調子を弾むように生成するとともに、音声の高低を高く生成する。また、起こってい絵文字やアイコンの場合は、音声の調子を早めるとともに、音声の高低を低く生成する。次に、リターンへ移行する。
【００８２】
ステップＳ３２において、音声データサーバ２Ｂは、音声データベースが蓄積されている大容量記憶部２４Ｂから、ウェブメールに含まれる文字データに適した音声データを検索・抽出する。つまり、感情を表さない標準の音声データを作成する。次に、リターンへ移行する。
【００８３】
＜変形例３＞
（音声データ出力処理）
上記代表の実施の形態において、音声データ出力処理は、車載機３が、通信端末１Ｂから音声データを受信した後に、音声データを出力すると説明したが、車載機３が通信端末１Ｂから音声データを受信した際に、図５に示す車両４が備える車両操作部３６の操作量が所定量よりも小さい場合に、受信した音声データを出力するようにしても良い。
【００８４】
車両４が備える車両操作部３６とは、例えば、ハンドル、アクセル、又は、ブレーキである。車載機３は、車載機３と車両操作部３６とを電気的に接続する車載ネットワークを介して受信した、これらの操作量を検知するセンサが出力する信号に基づいて判断した操作量が、所定量よりも小さい場合に、通信端末１Ｂから受信した音声データを出力する。      
【００８５】
つまり、ユーザが運転により忙しくしている場合は、運転に集中する必要がある場面であり、その場面において車載機３が音声データを出力してしまうと、ユーザは運転に集中することができず、不測の事態を招く虞があるため、ユーザが運転により忙しくしていない場合に、車載機３は音声データを出力する。
【００８６】
＜変形例４＞
（音声データ出力処理）
上記代表の実施の形態において、音声データ出力処理は、車載機３が、通信端末１Ｂから音声データを受信した後に、音声データを出力すると説明したが、車載機３が通信端末１Ｂから音声データを受信した際に、車載機３においてオーディオが出力されている場合は、オーディオの音量を音声データを出力する際の音量よりも小さくするようにしても良い。更に、音量を小さくするのではなく、消音するようにしても良い。
【００８７】
これにより、ユーザは前記音声データをの音声を確実に聞き取ることができる。
【００８８】
＜変形例５＞
（音声データ出力処理）
上記代表の実施の形態において、音声データ出力処理は、車載機３が、通信端末１Ｂから音声データを受信した後に、音声データを出力すると説明したが、車載機３が通信端末１Ｂから音声データを受信した際に、車載機３においてナビゲーション機能が発揮されている場合は、ナビゲーション機能を発揮している際の案内の音量を音声データを出力する際の音量よりも小さくするようにしても良い。更に、音量を小さくするのではなく、消音するようにしても良い。
【００８９】
これにより、ユーザは前記音声データをの音声を確実に聞き取ることができる。
【００９０】
また、上記実施の形態では、プログラムに従ったＣＰＵの演算処理によってソフトウェア的に各種の機能が実現されると説明したが、これら機能のうちの一部は電気的なハードウェア回路により実現されても良い。また逆に、ハードウェア回路によって実現されるとした機能のうちの一部は、ソフトウェア的に実現されても良い。
【００９１】
更に、各実施例の制御を説明するフローチャート図における各処理は、便宜上一の系列で示しているが、細分化された各処理を各制御部がマルチタスク制御機能により並列に処理するものであっても良い。
【符号の説明】
【００９２】
１Ａ    通信端末
１Ｂ    通信端末
２Ａ    キャリアサーバ
２Ｂ    音声データサーバ
３    車載機
１０    制御部
１３    通信部
１６    近距離無線通信部
２０    制御部
２３    通信部
３０    制御部
３３    通信部
３４    近距離無線通信部
３５    音出力部
【図１】
2011135419.tif 000003
【図２】
2011135419.tif 000004
【図３】
2011135419.tif 000005
【図４】
2011135419.tif 000006
【図５】
2011135419.tif 000007
【図６】
2011135419.tif 000008
【図７】
2011135419.tif 000009
【図８】
2011135419.tif 000010